(57)【要約】      （修正有）【課題】記録物の堅牢性に優れ、かつ、記録物の色変化が抑制されたインクジェット記録用水性インクを提供する。【解決手段】着色剤、水および水溶性有機溶剤を含むインクジェット記録用水性インクであって、前記着色剤がカップリング成分の構造およびジアゾ化成分の構造中に窒素原子を２個有する特定のモノアゾ化合物である染料を含み、前記インクが、さらに、色変化抑制剤を含み、前記色変化抑制剤が、ホウ素化合物と、アミノポリカルボン酸およびアミノポリカルボン酸塩の少なくとも一方とを含む。【選択図】なし【特許請求の範囲】
【請求項１】
着色剤、水および水溶性有機溶剤を含むインクジェット記録用水性インクであって、
前記着色剤が、一般式（１）で表される染料を含み、
前記インクが、さらに、色変化抑制剤を含み、
前記色変化抑制剤が、ホウ素化合物と、アミノポリカルボン酸およびアミノポリカルボン酸塩の少なくとも一方とを含むことを特徴とするインクジェット記録用水性インク。
【化１】
2010106109.tif 000011
一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【請求項２】
前記ホウ素化合物が、ホウ酸、ホウ酸塩、ホウ酸エステルおよびホウ酸塩エステルからなる群から選択される少なくとも一種の化合物を含む請求項１記載のインクジェット記録用水性インク。
【請求項３】
水性マゼンタインクとして用いられる請求項１または２記載のインクジェット記録用水性インク。
【請求項４】
水性イエローインク、水性マゼンタインクおよび水性シアンインクを含むインクジェット記録用インクセットであって、前記水性マゼンタインクとして、請求項３記載のインクジェット記録用水性インクを含むことを特徴とするインクジェット記録用インクセット。
【請求項５】
インク収容部およびインク吐出手段を含み、前記インク収容部に収容されたインクを前記インク吐出手段によって吐出するインクジェット記録装置であって、前記インク収容部に、請求項１〜３のいずれか一項に記載のインクジェット記録用水性インクまたは請求項４記載のインクジェット記録用インクセットを構成するインクが収容されていることを特徴とするインクジェット記録装置。
【請求項６】
二種類以上のインクジェット記録用水性インクを用いて記録するインクジェット記録方法であって、
二種類以上の前記インクが、それぞれ、着色剤、水および水溶性有機溶剤を含み、
二種類以上の前記インクから選択された少なくとも一つのインクが、さらに、色変化抑制剤を含み、
前記色変化抑制剤が、ホウ素化合物と、アミノポリカルボン酸およびアミノポリカルボン酸塩の少なくとも一方とを含み、二種類以上の前記インクを用いて記録することを特徴とするインクジェット記録方法。
【請求項７】
二種類以上の前記インクが、水性イエローインク、水性マゼンタインクおよび水性シアンインクの三種類のインクを含み、前記三種類のインクから選択された少なくとも一つのインクが、前記色変化抑制剤を含むインクであり、前記三種類のインクにより、プロセスブラックを記録する請求項６記載のインクジェット記録方法。
【請求項８】
前記水性マゼンタインクが、前記色変化抑制剤を含むインクである請求項７記載のインクジェット記録方法。
【請求項９】
着色剤、水および水溶性有機溶剤を含むインクジェット記録用水性インクにより記録される記録物の色変化を抑制するための色変化抑制剤であって、
前記色変化抑制剤は、ホウ素化合物と、アミノポリカルボン酸およびアミノポリカルボン酸塩の少なくとも一方とを含むことを特徴とする色変化抑制剤。
【請求項１０】
インクジェット記録用水性インクにより記録される記録物の色変化を抑制する色変化抑制方法であって、
前記インクが、着色剤、水、水溶性有機溶剤および請求項９記載の色変化抑制剤を含み、前記インクを用いて記録することを特徴とする色変化抑制方法。
【発明の詳細な説明】
【技術分野】
【０００１】
本発明は、インクジェット記録用水性インク、インクジェット記録用インクセット、インクジェット記録装置、インクジェット記録方法、色変化抑制剤および色変化抑制方法に関する。
【背景技術】
【０００２】
従来から、着色剤、水および水溶性有機溶剤を含むインクジェット記録用水性マゼンタインクが汎用されている（例えば、特許文献１〜３参照）。
【０００３】
【特許文献１】特開２００２−５３７６５号公報
【特許文献２】特開２００２−２４１６５９号公報
【特許文献３】特開２００４−３５２８８６号公報
【発明の開示】
【発明が解決しようとする課題】
【０００４】
前記インクは、記録物の耐光性、耐オゾン性等の堅牢性に優れていることが求められる。前記記録物の堅牢性は、例えば、前記着色剤として、高耐候性マゼンタ染料を用いることで向上できる。しかし、前記高耐候性マゼンタ染料には、一般的な染料よりも、被記録媒体への拡散のしやすさに変化を生じやすいものがある。例えば、湿度が、前記高耐候性マゼンタ染料の被記録媒体への拡散のしやすさに影響を与える。このため、前記高耐候性マゼンタ染料を含むインクを用いてインクジェット記録を行った場合、記録物の色が変化するという問題を生じることがある。特に、前記高耐候性マゼンタ染料を含む水性マゼンタインクを、被記録媒体上で水性イエローインクおよび水性シアンインクと混合し、プロセスブラック（トリカラーブラック、コンポジットブラックともいう）を記録する場合、前記高耐候性マゼンタ染料の拡散により前記プロセスブラック中のマゼンタの色調が弱くなり、無彩色（例えば、黒色（ブラック）から灰色（グレー）のグラデーション範囲内の色）が、緑を帯びたように見えることがある。
【０００５】
そこで、本発明は、記録物の堅牢性に優れ、かつ、記録物の色変化が抑制されたインクジェット記録用水性インクを提供することを目的とする。
【課題を解決するための手段】
【０００６】
前記目的を達成するために、本発明のインクジェット記録用水性インクは、
着色剤、水および水溶性有機溶剤を含むインクジェット記録用水性インクであって、
前記着色剤が、一般式（１）で表される染料を含み、
前記インクが、さらに、色変化抑制剤を含み、
前記色変化抑制剤が、ホウ素化合物と、アミノポリカルボン酸およびアミノポリカルボン酸塩の少なくとも一方とを含むことを特徴とする。
【化１】
2010106109.tif 000002
一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【発明の効果】
【０００７】
本発明のインクジェット記録用水性インクは、一般式（１）で表される染料を含むため、記録物の堅牢性に優れる。また、本発明のインクジェット記録用水性インクは、ホウ素化合物と、アミノポリカルボン酸およびアミノポリカルボン酸塩の少なくとも一方とを含む色変化抑制剤を含むため、一般式（１）で表される染料に起因する記録物の色変化が抑制される。
【発明を実施するための最良の形態】
【０００８】
本発明のインクジェット記録用水性インクにおいて、前記ホウ素化合物が、ホウ酸、ホウ酸塩、ホウ酸エステルおよびホウ酸塩エステルからなる群から選択される少なくとも一種の化合物を含むことが好ましい。
【０００９】
本発明のインクジェット記録用水性インクにおいて、その用途は、特に限定されず、例えば、水性マゼンタインクとして用いることができる。
【００１０】
本発明のインクジェット記録用インクセットは、水性イエローインク、水性マゼンタインクおよび水性シアンインクを含むインクジェット記録用インクセットであって、前記水性マゼンタインクとして、本発明のインクジェット記録用水性マゼンタインクを含むことを特徴とする。
【００１１】
本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクジェット記録用水性インクまたは本発明のインクジェット記録用インクセットを構成するインクが収容されていることを特徴とする。
【００１２】
本発明のインクジェット記録方法は、二種類以上のインクジェット記録用水性インクを用いて記録するインクジェット記録方法であって、二種類以上の前記インクが、それぞれ、着色剤、水および水溶性有機溶剤を含み、二種類以上の前記インクから選択された少なくとも一つのインクが、さらに、色変化抑制剤を含み、前記色変化抑制剤が、ホウ素化合物と、アミノポリカルボン酸およびアミノポリカルボン酸塩の少なくとも一方とを含み、二種類以上の前記インクを用いて記録することを特徴とする。
【００１３】
本発明のインクジェット記録方法において、二種類以上の前記インクが、水性イエローインク、水性マゼンタインクおよび水性シアンインクの三種類のインクを含み、前記三種類のインクから選択された少なくとも一つのインクが、前記色変化抑制剤を含むインクであり、前記三種類のインクにより、プロセスブラックを記録することが好ましい。
【００１４】
本発明のインクジェット記録方法において、前記水性マゼンタインクが、前記色変化抑制剤を含むインクであることが好ましい。
【００１５】
本発明の色変化抑制剤は、着色剤、水および水溶性有機溶剤を含むインクジェット記録用水性インクにより記録される記録物の色変化を抑制するための色変化抑制剤であって、前記色変化抑制剤は、ホウ素化合物と、アミノポリカルボン酸およびアミノポリカルボン酸塩の少なくとも一方とを含むことを特徴とする。
【００１６】
本発明の色変化抑制方法は、インクジェット記録用水性インクにより記録される記録物の色変化を抑制する色変化抑制方法であって、前記インクが、着色剤、水、水溶性有機溶剤および本発明の色変化抑制剤を含み、前記インクを用いて記録することを特徴とする。
【００１７】
本発明のインクジェット記録方法、色変化抑制剤および色変化抑制方法の適用対象となる着色剤は、特に限定されないが、一般式（１）で表される染料を含むことが好ましい。例えば、水性イエローインク、水性マゼンタインクおよび水性シアンインクの三種類のインクによるプロセスブラックの記録において、前記水性マゼンタインクに含まれる一般式（１）で表される染料に本発明のインクジェット記録方法、色変化抑制剤および色変化抑制方法を適用すれば、前記プロセスブラックの色変化が抑制される。
【００１８】
つぎに、本発明のインクジェット記録用水性インク（以下、単に「インク」または「水性インク」ということがある）について説明する。本発明のインクジェット記録用水性インクは、着色剤、水および水溶性有機溶剤を含む。前記着色剤は、一般式（１）で表される染料を含む。
【００１９】
前述のとおり、一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、かつ、他方が窒素原子である。
【００２０】
一般式（１）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００２１】
一般式（１）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【００２２】
一般式（１）において、前記ハロゲン原子としては、例えば、フッ素原子、塩素原子、臭素原子およびヨウ素原子等があげられる。
【００２３】
一般式（１）において、前記置換または無置換のヘテロ環基は、好ましくは、５員または６員環のヘテロ環基である。前記置換または無置換のへテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【００２４】
一般式（１）において、前記置換または無置換のスルホニル基としては、例えば、メチルスルホニル基、フェニルスルホニル基等があげられる。前記置換スルホニル基の置換基としては、例えば、前述と同様の置換または無置換アルキル基、前述と同様の置換または無置換のアリール基等があげられる。
【００２５】
一般式（１）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【００２６】
一般式（１）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシル基、カルバモイル基、シアノ基等があげられる。
【００２７】
前述のとおり、一般式（１）において、Ｒ４とＲ５とは共に水素原子であることはなく、またＲ６とＲ７も共に水素原子であることはない。また、一般式（１）において、スルホン酸基若しくはカルボキシル基の置換数が多くなると一般式（１）で表される染料の水溶性が向上する傾向があるので、必要に応じてそれらの置換数を調整することが好ましい。
【００２８】
一般式（１）で表される染料の好ましい態様としては、例えば、一般式（１）において、Ｒ１がアルキル基、Ｒ２がシアノ基、Ｒ３が水素原子若しくは置換または無置換のヘテロ環基、Ｒ４が水素原子、置換または無置換のヘテロ環基若しくは置換アリール基、Ｒ５およびＲ６が、それぞれ、置換ヘテロ環基または置換アリール基、Ｒ７が水素原子であり、Ａ１が置換されている炭素原子、Ａ２が置換または無置換の炭素原子である態様があげられる。
【００２９】
一般式（１）で表される染料のより好ましい態様としては、例えば、一般式（１）において、Ｒ１がｔｅｒｔ−ブチル基、Ｒ２がシアノ基、Ｒ３が水素原子またはスルホン酸基若しくはそのアルカリ金属塩基で置換されてもよいベンゾチアゾリル基（好ましくは、ベンゾチアゾール−２−イル基）、Ｒ４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ５およびＲ６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ７が水素原子であり、Ａ１がアルキル基（好ましくは、メチル基）で置換されている炭素原子、Ａ２がシアノ基で置換されてもよい炭素原子である態様である。
【００３０】
一般式（１）で表される染料の好ましい具体例としては、構造式（１−Ａ）〜（１−Ｆ）で表される化合物があげられる。
【００３１】
【化２】
2010106109.tif 000003
【００３２】
構造式（１−Ａ）で表される化合物は、一般式（１）において、Ｒ１がｔｅｒｔ−ブチル基、Ｒ２がシアノ基、Ｒ３およびＲ４が６−スルホカリウム塩ベンゾチアゾール−２−イル基、Ｒ５およびＲ６が３−スルホカリウム塩−メシチル基、Ｒ７が水素原子であり、Ａ１がメチル基で置換されている炭素原子、Ａ２が炭素原子である態様である。
【００３３】
【化３】
2010106109.tif 000004
【００３４】
構造式（１−Ｂ）で表される化合物は、一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−メチル−３−スルホリチウム塩フェニル基、Ｒ７が水素原子であり、Ａ１がメチル基で置換されている炭素原子、Ａ２が炭素原子である態様である。
【００３５】
【化４】
2010106109.tif 000005
【００３６】
構造式（１−Ｃ）で表される化合物は、一般式（１）において、Ｒ１がｔｅｒｔ−ブチル基、Ｒ２がシアノ基、Ｒ３がベンゾチアゾール−２−イル基、Ｒ４が水素原子、Ｒ５およびＲ６がｐ−オクチルフェニル基、Ｒ７が水素原子であり、Ａ１がメチル基で置換されている炭素原子、Ａ２がシアノ基で置換されている炭素原子である態様である。
【００３７】
【化５】
2010106109.tif 000006
【００３８】
構造式（１−Ｄ）で表される化合物は、一般式（１）において、Ｒ１がｔｅｒｔ−ブチル基、Ｒ２がシアノ基、Ｒ３およびＲ４がベンゾチアゾール−２−イル基、Ｒ５およびＲ６がメシチル基、Ｒ７が水素原子であり、Ａ１がメチル基で置換されている炭素原子、Ａ２が炭素原子である態様である。
【００３９】
【化６】
2010106109.tif 000007
【００４０】
化学式（１−Ｅ）で表される化合物は、一般式（１）において、Ｒ１がｔｅｒｔ−ブチル基、Ｒ２がシアノ基、Ｒ３およびＲ４が６−スルホナトリウム塩ベンゾチアゾール−２−イル基、Ｒ５およびＲ６が３−スルホナトリウム塩−メシチル基、Ｒ７が水素原子であり、Ａ１がメチル基で置換されている炭素原子、Ａ２が炭素原子である態様である。
【００４１】
【化７】
2010106109.tif 000008
【００４２】
化学式（１−Ｆ）で表される化合物は、一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−スルホリチウム塩フェニル基、Ｒ７が水素原子であり、Ａ１がメチル基で置換されている炭素原子、Ａ２が炭素原子である態様である。
【００４３】
一般式（１）で表される染料の配合量は、特に限定されない。水性インクに一般式（１）で表される染料を含ませることで、前記水性インクを用いた記録物の堅牢性を向上させることができる。一般式（１）で表される染料の配合量は、前記インク全量に対し、例えば、０．１重量％〜７重量％であり、好ましくは、０．２重量％〜５重量％である。
【００４４】
前記着色剤は、一般式（１）で表される染料のみを含んでいてもよいし、さらに他の染料および顔料等を含んでもよい。
【００４５】
前記水は、イオン交換水または純水であることが好ましい。前記インク全量に対する前記水の配合量は、例えば、１０重量％〜９０重量％であり、好ましくは、４０重量％〜８０重量％である。前記水の配合量は、例えば、他の成分の残部としてもよい。
【００４６】
前記水溶性有機溶剤は、例えば、インクジェットヘッドのノズル部におけるインクの乾燥を防止する湿潤剤および被記録媒体上での乾燥速度を調整する浸透剤に分類される。
【００４７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００４８】
前記インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【００４９】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【００５０】
前記インク全量に対する前記浸透剤の配合量（浸透剤割合）は、特に限定されず、例えば、０重量％〜２０重量％である。前記浸透剤割合を前記範囲とすることで、前記水性インクの記録紙等の被記録媒体への浸透性を、より好適なものとできる。前記浸透剤割合は、好ましくは、０．１重量％〜１５重量％であり、より好ましくは、０．５重量％〜１０重量％である。
【００５１】
本発明のインクジェット記録用水性インクは、さらに、前記色変化抑制剤を含む。前記色変化抑制剤は、記録物の色変化を抑制する機能を有する。前記色変化抑制剤は、ホウ素化合物と、アミノポリカルボン酸およびアミノポリカルボン酸塩の少なくとも一方とを含む。
【００５２】
前記ホウ素化合物としては、例えば、ホウ酸、ホウ酸塩、ホウ酸エステル、ホウ酸塩エステルがあげられる。本発明において、前記ホウ酸は、特に限定されず、例えば、オルトホウ酸（Ｈ３ＢＯ３）、メタホウ酸（ＨＢＯ２）、次ホウ酸（Ｈ４Ｂ２Ｏ４）があげられる。
【００５３】
前記ホウ酸塩としては、例えば、ホウ酸ナトリウム類（メタホウ酸ナトリウム、二ホウ酸ナトリウム、四ホウ酸ナトリウム、五ホウ酸ナトリウム、六ホウ酸ナトリウム、八ホウ酸ナトリウム）、ホウ酸カリウム類（メタホウ酸カリウム、四ホウ酸カリウム、五ホウ酸カリウム、六ホウ酸カリウム）、ホウ酸アンモニウム類（メタホウ酸アンモニウム、四ホウ酸アンモニウム、五ホウ酸アンモニウム、八ホウ酸アンモニウム）、ホウ酸マグネシウム類（メタホウ酸マグネシウム、四ホウ酸三マグネシウム、四ホウ酸五マグネシウム、六ホウ酸マグネシウム）、ホウ酸リチウム類（メタホウ酸リチウム、四ホウ酸リチウム、五ホウ酸リチウム）があげられる。前記ホウ酸塩は、水和物であってもよい。
【００５４】
前記ホウ酸エステルは、一般式（２）で表される化合物である。
【化８】
2010106109.tif 000009
一般式（２）において、Ｒ１１、Ｒ１２およびＲ１３は、それぞれ、水素原子、置換または無置換のアルキル基、置換または無置換のアリール基であり、Ｒ１１、Ｒ１２およびＲ１３のすべてが水素原子であることはない。前記置換または無置換のアルキル基、および前記置換または無置換のアリール基は、一般式（１）における置換または無置換のアルキル基、および置換または無置換のアリール基と同様である。前記ホウ酸塩エステルは、前記ホウ酸エステルのＲ１１、Ｒ１２およびＲ１３が水素原子を含む場合において、前記水素原子の少なくとも一つが、ナトリウムイオン、カリウムイオン、アンモニウムイオン、リチウムイオン等で置換された化合物である。
【００５５】
前記ホウ素化合物は、１種類を単独で用いてもよく、２種類以上を併用してもよい。前記インク全量に対する前記ホウ素化合物の配合量は、例えば、０．０１重量％〜２０重量％であり、好ましくは、０．１重量％〜１５重量％であり、より好ましくは、０．１重量％〜１０重量％である。
【００５６】
前記アミノポリカルボン酸としては、例えば、エチレンジアミン四酢酸、ニトリロ三酢酸、ジエチレントリアミン五酢酸、ヒドロキシエチルエチレンジアミン三酢酸、ウラミル二酢酸があげられる。前記アミノポリカルボン酸塩としては、例えば、エチレンジアミン四酢酸四ナトリウム、ニトリロ三酢酸三ナトリウム、ジエチレントリアミン五酢酸五ナトリウム等の前記アミノポリカルボン酸の金属塩があげられる。
【００５７】
前記アミノポリカルボン酸および前記アミノポリカルボン酸塩は、１種類を単独で用いてもよく、２種類以上を併用してもよい。前記インク全量に対する前記アミノポリカルボン酸およびアミノポリカルボン酸塩の少なくとも一方の配合量は、例えば、０．０１重量％〜２０重量％であり、好ましくは、０．１重量％〜１５重量％であり、より好ましくは、０．１重量％〜１０重量％である。
【００５８】
前記色変化抑制剤は、前記ホウ素化合物と、前記アミノポリカルボン酸およびアミノポリカルボン酸塩の少なくとも一方だけを含んでもよいし、それら以外の色変化抑制剤を含んでもよい。
【００５９】
本発明のインクジェット記録用水性インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、例えば、ポリビニルアルコール、セルロース、水溶性樹脂等があげられる。
【００６０】
本発明のインクジェット記録用水性インクは、例えば、前記着色剤、水、水溶性有機溶剤および色変化抑制剤と、必要に応じて他の添加成分とを、従来公知の方法で均一に混合し、フィルタ等で不溶解物を除去することにより調製できる。
【００６１】
本発明のインクジェット記録用水性インクは、例えば、水性マゼンタインクとして用いることができる。本発明のインクジェット記録用水性インクは、マゼンタ以外の色の着色剤をさらに含むことにより、マゼンタ以外の色の水性インクとすることもできる。
【００６２】
つぎに、本発明のインクジェット記録用インクセットについて説明する。前述のとおり、本発明のインクジェット記録用インクセットは、水性イエローインク、水性マゼンタインクおよび水性シアンインクを含むインクジェット記録用インクセットであって、前記マゼンタインクとして、本発明のインクジェット記録用水性インクを含むことを特徴とする。本発明のインクセットは、前記３色以外の色の水性インクをさらに含んでもよい。前記３色以外の色の水性インクとしては、例えば、水性ブラックインク、水性レッドインク、水性グリーンインク、水性ブルーインク、染料濃度が低い水性ライトインク（例えば、水性ライトイエローインク、水性ライトマゼンタインク、水性ライトシアンインク、水性ライトブラックインク、水性ライトレッドインク、水性ライトグリーンインク、水性ライトブルーインク）等があげられる。前記水性イエローインクおよび前記水性シアンインクとしては、例えば、従来公知のものを使用できる。前記水性イエローインクおよび前記水性シアンインクは、それぞれ、一般式（１）で表される染料と同程度の耐光性、耐オゾン性を示す水溶性イエロー染料および水溶性シアン染料を含むことが好ましい。これにより、前記水性イエローインクおよび前記水性シアンインクの耐光性、耐オゾン性が、本発明の水性インクと同程度となり、たとえ退色したとしても、画像の色バランス変化が少ないインクセットとすることができる。
【００６３】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクジェット記録用水性インクまたは本発明のインクジェットインクセットを構成するインクが収容されていることを特徴とする。これを除き、本発明のインクジェット記録装置の構成は、例えば、従来公知のインクジェット記録装置と同様であってもよい。
【００６４】
前記インク収容部としては、例えば、インクカートリッジ等があげられる。前記インクカートリッジの本体としては、例えば、従来公知のものを使用できる。
【００６５】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。本例のインクジェット記録装置において、インクジェットヘッド３が前記インク吐出手段である。
【００６６】
前記４つのインクカートリッジ２は、イエロー、マゼンタ、シアンおよびブラックの４色の水性インクを、それぞれ１色ずつ含む。例えば、前記水性マゼンタインクが、本発明のインクジェット記録用水性インクである。前記インクジェットヘッド３は、記録紙等の被記録媒体Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００６７】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００６８】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００６９】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の印字がなされる。前記被記録媒体Ｐは、その後、前記インクジェット記録装置１から排紙される。図１においては、前記被記録媒体Ｐの給紙機構及び排紙機構の図示を省略している。
【００７０】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッド３の回復が図られる。前記吸引された不良インクは、前記インク貯留部１７に貯蔵される。
【００７１】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【００７２】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００７３】
つぎに、本発明のインクジェット記録方法、色変化抑制剤および色変化抑制方法において、適用対象の着色剤等の各種成分の種類、配合量および形態等は、前記本発明のインクジェット記録用水性インクと同様にすることができる。本発明のインクジェット記録方法は、例えば、図１に示したような本発明のインクジェット記録装置を用いて実施可能である。
【実施例】
【００７４】
つぎに、本発明の実施例について比較例と併せて説明する。なお、本発明は、下記の実施例および比較例によって限定および制限されない。
【００７５】
［実施例１〜６および比較例１〜９］
インク組成成分（表１）を、均一に混合した後、得られた混合物を、東洋濾紙（株）製の親水性ポリテトラフルオロエチレン（ＰＴＦＥ）タイプメンブレンフィルタ（孔径０．２μｍ）を用いてろ過することで、実施例１〜６および比較例１〜９のインクジェット記録用水性マゼンタインクを得た。なお、表１において、染料（１−Ａ）および（１−Ｂ）は、それぞれ、構造式（１−Ａ）および（１−Ｂ）で表される化合物である。
【００７６】
実施例および比較例の水性マゼンタインクについて、色変化評価を、下記の方法により行った。なお、評価用サンプルは、つぎのようにして準備した。
【００７７】
すなわち、まず、実施例および比較例の水性マゼンタインクを、インクカートリッジに充填した。つぎに、水性イエローインクおよび水性シアンインクがそれぞれ充填されたブラザー工業（株）のインクカートリッジＬＣ１１ＹおよびＬＣ１１Ｃを準備した。ついで、前記３つのインクカートリッジを、ブラザー工業（株）製のインクジェットプリンタ搭載デジタル複合機ＤＣＰ−３８５Ｃに装着した。つぎに、温度２５℃、相対湿度５０％の条件下、ブラザー工業（株）製の写真光沢紙ＢＰ７１ＧＡ４に前記３つのインクカートリッジに充填された水性インクを用いて黒パッチをプリントし、プリント時と同条件下で２４時間乾燥させて、低湿度条件黒パッチを得た。つぎに、温度３３℃、相対湿度８０％の条件下でプリントおよび２４時間乾燥させたこと以外は、低湿度条件黒パッチと同様にして、高湿度条件黒パッチを得た。
【００７８】
（色変化評価）
前記低湿度条件黒パッチおよび前記高湿度条件黒パッチのＬ＊、ａ＊、ｂ＊を、Ｇｒｅｔａｇ  Ｍａｃｂｅｔｈ社製の分光測色計Ｓｐｅｃｔｒｏｌｉｎｏ（光源：Ｄ５０；ｓｔａｔｕｓ  Ｔ）により測定し、下記式により低湿度および高湿度の２条件間における色差ΔＥを算出した。
ΔＥ＝｛（Ｌ＊１−Ｌ＊２）２＋（ａ＊１−ａ＊２）２＋（ｂ＊１−ｂ＊２）２｝１／２
Ｌ＊１：前記低湿度条件黒パッチのＬ＊値
Ｌ＊２：前記高湿度条件黒パッチのＬ＊値
ａ＊１：前記低湿度条件黒パッチのａ＊値
ａ＊２：前記高湿度条件黒パッチのａ＊値
ｂ＊１：前記低湿度条件黒パッチのｂ＊値
ｂ＊２：前記高湿度条件黒パッチのｂ＊値
【００７９】
実施例および比較例の水性マゼンタインクのインク組成および色変化評価結果を、表１に示す。
【００８０】
【表１】
2010106109.tif 000010
【００８１】
表１に示すとおり、ホウ素化合物およびアミノポリカルボン酸塩を含む実施例１〜６の水性マゼンタインクを用いた黒パッチは、低湿度および高湿度の２条件間における色差ΔＥが小さく、湿度による色変化が抑制されていた。一方、ホウ素化合物およびアミノポリカルボン酸塩の双方もしくは一方を含まない比較例１〜９の水性マゼンタインクを用いた黒パッチは、低湿度および高湿度の２条件間における色差ΔＥが大きく、湿度による色変化が生じていた。
【産業上の利用可能性】
【００８２】
以上のように、本発明のインクジェット記録用水性インクは、記録物の堅牢性に優れ、かつ、記録物の色変化が抑制されたものである。本発明のインクジェット記録用水性インクの用途は、限定されず、各種のインクジェット記録に広く適用可能である。
【図面の簡単な説明】
【００８３】
【図１】図１は、本発明のインクジェット記録装置の構成の一例を示す概略斜視図である。
【符号の説明】
【００８４】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
2010106109.tif 000012